(57)【要約】【課題】  所要のプランター内に花卉や野菜の種子が混合敷設された培地ユニットを装着のうえ加水するのみで、花卉の開花や野菜の育成収穫できる花卉や野菜等の簡易育成具を提供する。【解決手段】  所要のプランターと、このプランター内に単数若しくは複数で装着しえる寸法形状で、全体が密閉フィルムで密閉され、その内側の外包材が吸水滅失素材からなり且その内部に軽量な培土と肥料が混合され、而も良好に発芽生育できるような間隙で吸水崩壊材に種子が挟持された種子シートとが混合敷設された培地ユニットとからなり、該培地ユニットの密閉フィルムを剥除のうえプランター内に装着し加水するのみで開花若しくは育成収穫の可能な、花卉野菜類の簡易育成具。【選択図】図５
2011217714.tif 000002
【特許請求の範囲】
【請求項１】
適宜素材と寸法形状に形成されたプランターと、該プランター内に単数若しくは複数個で装着しえる寸法形状からなり、全体が密閉フィルムにより密閉され、且その内側には所要の寸法形状に保形され吸水により滅失して培土と同化しえる吸水滅失素材からなる外包材が形成されてなり、而もこの外包材の内部には軽量な培土と肥料が混合充填されたうえ且所望の花卉若しくは野菜の種子が良好に発芽育成できる間隙に吸水崩壊材に挟持された種子シートが混合敷設された培土ユニットとからなり、該培土ユニットの密閉フィルムを剥除のうえプランター内に装着し、加水により花卉の開花若しくは野菜の育成収穫をなすことを特徴とする花卉野菜類の簡易育成具。
【請求項２】
軽量な培土が腐葉土にパーライト若しくは竹繊維が２０乃至３０容量％割合で混合された構成からなる、請求項１記載の花卉野菜類の簡易育成具。
【請求項３】
軽量な培土がピートモス、バカラ若しくはバークからなる、請求項１記載の花卉野菜類の簡易育成具。
【請求項４】
外包材がボール紙或いはピートモス若しくはバカラの成形板状材からなる、請求項１乃至請求項３記載の花卉野菜類の簡易育成具。
【発明の詳細な説明】
【技術分野】
【０００１】  本発明は花卉や野菜類を極めて簡便に育成することの可能な育成具に係るもので、更に詳しくは適宜のプランター内に培地ユニットを装着し加水のみで多種に亘る花卉や野菜類を簡便に育成できる簡易育成具に関する。
【背景技術】
【０００２】  我が国では成長経済期とともに都市化が急速に拡大化し、現状の首都圏では略７％の国土面積に対し略１／３に相当する人口が集中するに至っており、かかる都市部への集中に伴って土地の有効利用が不可欠となり、これにより店舗や事務所はもとより住居までも重構造高層化建物に移行され、とりわけ都市部や都市近傍には膨大数のマンションや団地建物が林立している。
ところで近年においては地球温暖化はもとより、都市部においては緑地はもとより地面までもが大幅に減少し、反面において道路や建物等のコンクリート化が増大したことから、太陽光の照り返しが激しく、而も店舗や事務所ばかりか住居からの冷暖房に係る熱風等の排出とも相俟ってヒートアイランド化現象も増長されている。【０００３】  これがため新規建築建物においては所要の緑地を確保する設計思想に変更がなされているものの、ヒートアイランドを増長する主要としてはコンクリート道路に加えて、成長期に膨大数に建設された中層若しくは低層陸屋根建物とされている。
これがためこれら建物に対しては屋上緑化が提唱されているものの、かかる中層並びに低層陸屋根建物は構造強度も不十分なため極めて軽量な屋上緑化施設が要請されること、及びこれら建物も立替え時期を迎えていること等より十分な実施には至っていない。【０００４】  他方都市部の重構造高層化建物による住居においてはコンクリート構造による殺伐さや空虚さから自然感や癒しが強く希求されており、更には緑化によるヒートアイランド化防止のうえからも僅かなベランダスペース等においても花卉や野菜等の栽培指向が富みに高まっている。
これがためデパートやスーパーを初めホームセンターや雑貨店等に亘って園芸栽培セットや花卉栽培セット等の多種多様なものが展示販売されてなるが、これら園芸栽培セットや花卉栽培セットは、適宜素材と内容量からなるプランター若しくは鉢体と、育成栽培する花卉や野菜に適合すると考えられる数種の培土と、育成促進のための数種に亘る肥料及び花卉や野菜等の種子が展示されてなる態様であるから、購買者はある程度の知識をもとにプランターを初め培土、肥料、種子等を購入のうえ、プランター内への培土の充填量の調整や肥料の選択とその混合割合の調整、播種間隙や播種深さ等を勘案しつつ育成栽培せねばならない。とりわけこれら園芸栽培セットや花卉栽培セットには特段の保水機能も無いため、水切れによる枯死も多々発生する。【０００５】  然るにかかる育成栽培具では十分な予備知識や経験が無い者には極めて扱い難く、且仮令育成栽培のための培土や肥料の調整をなして播種したとしても栽培者各自の調整誤差も極めて大きく従って育成状況ばかりか開花や収穫等にも大きな差異が生まれる状況にある。そして、長期に亘り都市部で成長した若者やその結婚家族を初め都市部高層住宅での居住者等は花卉園芸の栽培体験も皆無に近く、従って反面において鉢花飾り等簡単なものについては積極的に利用されている。【０００６】  発明者等はかかる実情に鑑み研究を重ねた結果、自然感や癒し作用の高い花卉類や野菜類の種子を吸水滅失素材からなる外包材内に、その育成に適した軽量培土と肥料を混合充填し、且予め所要の採播間隔を保持しえるよう吸水崩壊材に挟持させたうえ混合敷設させて培地ユニットとなし、この培地ユニットを所要のプランター内に装着させ加水するのみで、十分な保水性も保持され花卉や野菜を安定して開花させ若しくは収穫しえることを究明し本発明に至った。
【発明の開示】
【発明が解決しようとする課題】
【０００７】  本発明は所要のプランター内に花卉や野菜の培地ユニットを装着させて加水するのみで、花卉や野菜を安定して開花させ若しくは収穫しえる花卉野菜類の簡易育成具を提供することにある。
【課題を解決するための手段】
【０００８】  上述の課題を解決するために本発明が採用した技術手段は、適宜素材と寸法形状からなるプランターと該プランター内に単数若しくは複数個で装着しえる寸法形状で全体が密閉フィルム材で密閉されてなり、その外包材が吸水滅失素材からなり、その内部には混合される種子の育成に優れる軽量培土並びに肥料と、所要の育成間隙を以って発芽生長できるように吸水崩壊材に種子が挟持配置された種子シートとが混合敷設された培地ユニットと、該培地ユニットをプランター内に適宜装着させたうえ加水するのみで、所望の花卉を開花させ若しくは野菜類を育成収穫することの可能な、花卉野菜類の簡易育成器に存する。
【発明の効果】
【０００９】  本発明は上述の如き構成からなるため、以下の如き効果を発揮する。即ち培地ユニットはその全体が密閉フィルム材で密閉されてなるため、長期に亘って保存が可能であるばかりか、その全体形状がプランター内に単数で若しくは複数個に装着しえる寸法形状に形成されてなるとともに、その外包材が吸水減失素材から形成され、且その内部には育成する花卉若しくは野菜等の育成に最適で軽量な培土と肥料が混合され、而も花卉や野菜の種子が最適な発芽生長間隙を以って育成可能なよう吸水崩壊材に挟持された種子シートも混合埋設されてなるから、実用使用に際しては本発明培土ユニットの密閉フィルム材を除去のうえ、適宜のプランター内に適宜に組合せて配位装着させて加水するのみで、何等の栽培技術を要することなく老若男女を問わず誰でも好みの花卉を開花させ若しくは野菜等の育成収穫が可能となる。加えて培地ユニットは軽量であるから育成作業はもとより運搬作業等も簡便になしえる。
【発明を実施するための最良の形態】
【００１０】  吸水滅失素材からなる外包材内に軽量な培土と脂量が適宜容量割合で、且吸水崩壊材に花卉若しくは野菜の種子が、適宜間隙で挟持分散配置された種子シートが混合敷設されたうえ、全体が密閉フィルム材で密閉された培土ユニットを、プランター内に装着し加水して使用する。
【実施例１】
【００１１】  以下に本発明実施例を図とともに説明すれば、図１は本発明の培地ユニットの断面説明図、図２は同培地ユニットの説明図であって、該培地ユニット１は所望のプランター３内に単数若しくは複数個で装着しえる形状及び寸法で形成されるとともに、加水４のみで花卉の開花や野菜等の育成収穫を図るため、加水４による水分を十分に吸水保持して育成を高めるとともに、育成後には吸水滅失せしめて培土２と同化せしめて廃棄問題を消除し、而も育成時にはその内部に所要容量の培土２並びに肥料３及び花卉や野菜の種子３が所要の育成間隙を以って発芽生育できるよう吸水崩壊材３Ｂに所要間隙に挟持され分散配置された種子シート２Ｃとが混合敷設された状態で収納されるよう外包材１Ｂが形成されている。そして本発明においては、花卉の開花や野菜等の育成収穫はその花卉や野菜等種類により周年に亘って育成されるものであるから、予め形成した培地ユニット１は、その保管中に吸水若しくは吸湿により発芽せぬよう密閉状態に保持させる必要上、密閉フィルム材１Ａにより密閉された構成からなるものである。【００１２】  そこでかかる構成を更に詳しく説明すれば、培地ユニット１はその培地２内に混合されてなる花卉や野菜の種子の内から好みの培地ユニット１を選択し、その外表面全体を密閉してなる密閉フィルム１Ａを剥除したうえ、適宜のプランター３内に装着させたうえ加水４のみにより開花させ若しくは育成収穫させるものである。
これがため培地ユニット１はプランター３内に単数で若しくは複数で装着できるような寸法及び形状に形成される。そして該培地ユニット１はプランター３内に容易に装着しえる寸法形状を保持しえるような保形性と、且加水４によりその水分を十分に保水しえるとともに、使用後は吸水滅失して培土２と同化し廃棄処理の問題を消化しえる外包材１Ｂが望まれることから、該外包材１Ｂとしてはボール紙やピートモス成形材等が好都合である。【００１３】  そしてかかる外包材１Ｂ内には、適宜の花卉や野菜類が加水４のみによって十分に育成し開花や収穫が可能なように培土２と肥料２Ｂ並びに花卉や野菜が健苗育成し開花や収穫がなしえるような種子シート２Ｃが混合敷設されている。
この培土２は極めて広範囲に亘るものが提案されるが、本発明においては取扱作業や運搬等を簡便となすうえから軽量な培土２が望まれることから図３に示す如く廃棄土等からなる培土２に見掛比重が略０．１のパーライトからなる改良材２Ａを略２０乃至３０容量％割合で混合した物を初め、該パーライトからなる改良材２Ａに代えて竹繊維を同等容量割合に混合させた物も使用でき、更には培土２自体をピートモスやバカラ或いはバーク等で代替使用すると開花や収穫後の培土２もゴミとしての廃棄や可能となり、而も開花や育成収穫には差支えない。【００１４】  そしてかかる培土２には育成のための花卉や野菜への育成を促進させるうえから更に肥料２Ｂが混合されている。この肥料２Ｂは通常の窒素分、リン酸分、加里分を主成分とする物であるが、当然に育成する花卉や野菜の種類によりその成分割合と混合量が決定されるが、混合量としては培土２の容量に対して０．１乃至５．０％容量割合が目処となる。
加えて肥料２Ｂは有機肥料でも無機肥料でも差支えは無いが、本発明においては培土２、肥料２Ｂ及び種子２Ｄが予め混合されて長期に保管されるものであるから、その保管期間中において吸水や吸湿により肥料２Ｂの発酵や種子２Ｄの発芽がなされぬよう、培土ユニット１全体には密閉フィルム１Ａを１密閉包被させているが、より確実な発酵な防止のうえからは無機肥料が好都合である。【００１５】  更に本発明においては都市部における重構造高層住宅即ちマンションや団地等のベランダ等において、複雑な育成管理や手間を省きながら開花による癒しや収穫による喜びを享受するものであるから、適宜のプランター等に装着したうえは、加水４により確実な開花や育成収穫が可能なることが望まれるもので、これがためには種子２Ｄの発芽育成が過密に若しくは過粗になることがないよう、花卉や野菜等の種類による種子２Ｄの生長特性を十分に加味して、予め種子２Ｄ相互の間隔が配位された状態で種子シート２Ｃに挟持させ、外包材１Ｂ内に培土２と共に混合され敷設されることが望まれる。そしてかかる種子シート２Ｃの素材としては加水４により吸水崩壊しえるものが好適であって、具体的素材としては薄葉紙が挙げられる。【００１６】  加えて本発明は具体的な花卉や野菜の種子２Ｄが所要の間隔を保持して挟持配位された種子シート２Ｃが培土２と共に混合され敷設されてなる培土ユニット１を、適宜のプランター３内に装着のうえ加水４のみで開花や育成収穫を図るものであるが、一般的なプランター３は排水孔が無いため過剰な加水４に際しては根腐れの危険を孕むことから、外包材１Ｂの底面１Ｃに通気溝１Ｄを形成させることにより根腐れ防止が図れる。
図４はプランター３内に複数個の培地ユニット１、１ａ、１ｂ、１ｃが装着された態様を示す説明図であり、図５には本発明の使用態様図が示されている。
【産業上の利用可能性】
【００１７】  市場において使用されているプランター内に培地ユニットの密閉フィルムを剥除のうえ装着し、加水するのみで所望の花卉を開花させ若しくは野菜の育成収穫ができる。
【図面の簡単な説明】
【００１８】
【図１】  培地ユニットの説明図である。
【図２】  培地ユニットの断面説明図である。
【図３】  パーライトの改良材が混合された培土の説明図である。
【図４】  プランター内への培地ユニットの装着説明図である。
【図５】  本発明の使用態様図である。
【符号の説明】
【００１９】１    培土ユニット
１Ａ  密閉フィルム
１Ｂ  外包材
１Ｃ  外包材の底面
１Ｄ  通気溝
２    培土
２Ａ  改良材
２Ｂ  肥料
２Ｃ  種子シート
２Ｄ  種子
３    プランター
４    加水
【図１】
2011217714.tif 000003
【図２】
2011217714.tif 000004
【図３】
2011217714.tif 000005
【図４】
2011217714.tif 000006
【図５】
2011217714.tif 000007